【手続補正書】
【提出日】平成30年8月3日(2018.8.3)
【手続補正１】
【補正対象書類名】明細書
【補正対象項目名】発明の名称
【補正方法】変更
【補正の内容】
【発明の名称】プログラム更新制御装置、情報家電機器、プログラム更新システム、プログラム更新方法およびプログラム
【手続補正２】
【補正対象書類名】明細書
【補正対象項目名】０００１
【補正方法】変更
【補正の内容】
【０００１】
本発明は、家電機器の実行プログラムを更新するプログラム更新制御装置、情報家電機器、プログラム更新システム、プログラム更新方法およびプログラムに関する。
【手続補正３】
【補正対象書類名】明細書
【補正対象項目名】０００８
【補正方法】変更
【補正の内容】
【０００８】
上記目的を達成するため、本発明に係るプログラム更新制御装置は、家電機器の主機能を動作させる実行プログラムの更新を制御するプログラム更新制御装置である。プログラム更新制御装置は、通信部と、更新機器特定部と、プログラム退避部と、プログラム更新部とを備える。通信部は、家電機器および家電機器の更新プログラムを取得する情報家電機器と接続して、家電機器の実行プログラムの版の情報、および情報家電機器が取得した家電機器の更新プログラムの版の情報を取得する。更新機器特定部は、家電機器の実行プログラムの版と、同じ機器種別の家電機器の更新プログラムの版とを比較して、更新プログラムの版の方が新しいという比較結果となった家電機器を、実行プログラムを更新する対象である対象家電機器として特定する。プログラム退避部は、対象家電機器が記憶する実行プログラムを情報家電機器に受信させて記憶させる。プログラム更新部は、対象家電機器と同じ機器種別の更新プログラムを情報家電機器から対象家電機器に送信させる。
【手続補正４】
【補正対象書類名】明細書
【補正対象項目名】０００９
【補正方法】変更
【補正の内容】
【０００９】
本発明によれば、家電機器が記憶する実行プログラムを情報家電機器に受信させて記憶させて、家電機器のプログラム更新を行うことで、家電機器にバックアップのためのプログラム領域が不要となり、ネットワーク上にプログラムが正常に更新された同じ機器種別の装置がなくても、製品のコストアップをせずに、家電機器のプログラム更新が可能になる。
【手続補正５】
【補正対象書類名】特許請求の範囲
【補正対象項目名】全文
【補正方法】変更
【補正の内容】
【特許請求の範囲】
【請求項１】
家電機器の主機能を動作させる実行プログラムの更新を制御するプログラム更新制御装置であって、
前記家電機器および前記家電機器の更新プログラムを取得する情報家電機器と接続して、前記家電機器の前記実行プログラムの版の情報、および前記情報家電機器が取得した前記家電機器の前記更新プログラムの版の情報を取得する通信部と、
前記家電機器の前記実行プログラムの版と、同じ機器種別の前記家電機器の前記更新プログラムの版とを比較して、前記更新プログラムの版の方が新しいという比較結果となった前記家電機器を、前記実行プログラムを更新する対象である対象家電機器として特定する更新機器特定部と、
前記対象家電機器が記憶する前記実行プログラムを前記情報家電機器に受信させて記憶させるプログラム退避部と、
前記対象家電機器と同じ機器種別の前記更新プログラムを前記情報家電機器から前記対象家電機器に送信させるプログラム更新部と、
を備えるプログラム更新制御装置。
【請求項２】
前記プログラム退避部は、前記対象家電機器が記憶する前記実行プログラムを前記情報家電機器に受信させて記憶させるプログラム退避指示を前記対象家電機器に送信し、
前記プログラム更新部は、前記プログラム退避部が前記プログラム退避指示を前記対象家電機器に送信した後、前記対象家電機器と同じ機器種別の前記更新プログラムを前記対象家電機器に送信させるプログラム更新指示を前記情報家電機器に送信する、
請求項１に記載のプログラム更新制御装置。
【請求項３】
前記プログラム退避部は、前記対象家電機器から前記実行プログラムを受信して前記情報家電機器に送信し、
前記プログラム更新部は、前記プログラム退避部が前記対象家電機器から前記実行プログラムを受信して前記情報家電機器に送信した後、前記情報家電機器から前記対象家電機器と同じ機器種別の前記更新プログラムを受信して前記対象家電機器に送信する、
請求項１に記載のプログラム更新制御装置。
【請求項４】
前記プログラム更新部が前記対象家電機器と同じ機器種別の前記更新プログラムを前記情報家電機器から前記対象家電機器に送信させた後、前記対象家電機器の主機能の動作を監視する機器異常検知部と、
前記機器異常検知部が前記対象家電機器の主機能の動作の異常を検知した場合に、前記情報家電機器が記憶する、前記異常を検知した対象家電機器の更新前の実行プログラムを前記情報家電機器から前記異常を検知した対象家電機器に送信させるプログラム復旧部と、
をさらに備える請求項１から３のいずれか１項に記載のプログラム更新制御装置。
【請求項５】
請求項１から３のいずれか１項に記載のプログラム更新制御装置に接続する情報家電機器であって、
前記家電機器の前記実行プログラムを記憶することが可能な記憶部と、
前記家電機器の前記更新プログラムを取得する更新プログラム取得部と、
前記対象家電機器の前記実行プログラムを前記対象家電機器から受信し、前記記憶部に記憶させる実行プログラム受信部と、
前記対象家電機器と同じ機器種別の前記更新プログラムを前記対象家電機器に送信する更新プログラム送信部と、
前記更新プログラム取得部、前記実行プログラム受信部、および前記更新プログラム送信部以外の主機能を実行する情報家電制御部と、
を備える情報家電機器。
【請求項６】
請求項４に記載のプログラム更新制御装置に接続する情報家電機器であって、
前記家電機器の前記実行プログラムを記憶することが可能な記憶部と、
前記家電機器の前記更新プログラムを取得する更新プログラム取得部と、
前記対象家電機器の前記実行プログラムを前記対象家電機器から受信し、前記記憶部に記憶させる実行プログラム受信部と、
前記対象家電機器と同じ機器種別の前記更新プログラムを前記対象家電機器に送信する更新プログラム送信部と、
前記記憶部が記憶する前記異常を検知した対象家電機器の更新前の実行プログラムを前記対象家電機器に送信する実行プログラム送信部と、
前記更新プログラム取得部、前記実行プログラム受信部、前記更新プログラム送信部、および前記実行プログラム送信部以外の主機能を実行する情報家電制御部と、
を備える情報家電機器。
【請求項７】
主機能を動作させる実行プログラムを記憶する家電機器に接続する情報家電機器であって、
前記家電機器の前記実行プログラムを記憶することが可能な記憶部と、
前記家電機器の更新プログラムを取得する更新プログラム取得部と、
前記家電機器の前記実行プログラムの版の情報を取得する通信部と、
前記家電機器の前記実行プログラムの版と、同じ機器種別の前記家電機器の前記更新プログラムの版とを比較して、前記更新プログラムの版の方が新しいという比較結果となった前記家電機器を、前記実行プログラムを更新する対象である対象家電機器として特定する更新機器特定部と、
前記対象家電機器が記憶する前記実行プログラムを前記対象家電機器から受信して前記記憶部に記憶させるプログラム退避部と、
前記対象家電機器と同じ機器種別の前記更新プログラムを前記対象家電機器に送信するプログラム更新部と、
前記更新プログラム取得部、前記通信部、前記更新機器特定部、前記プログラム退避部、および前記プログラム更新部以外の主機能を実行する情報家電制御部と、
を備える情報家電機器。
【請求項８】
前記更新プログラム取得部は、
放送波を受信する放送波受信部と、
前記放送波に重畳される前記家電機器の前記更新プログラムを抽出する分離部と、
を備える請求項５から７のいずれか１項に記載の情報家電機器。
【請求項９】
前記更新プログラム取得部は、
外部のサーバ装置から前記家電機器の前記更新プログラムを取得する請求項５から８のいずれか１項に記載の情報家電機器。
【請求項１０】
主機能を動作させる実行プログラムを記憶する家電機器と、
前記家電機器の前記実行プログラムを記憶することが可能な記憶部、および、
前記家電機器の更新プログラムを取得する更新プログラム取得部、
を含む情報家電機器と、
前記家電機器の前記実行プログラムの版の情報、および前記情報家電機器が取得した前記家電機器の前記更新プログラムの版の情報を取得する通信部、
前記家電機器の前記実行プログラムの版と、同じ機器種別の前記家電機器の前記更新プログラムの版とを比較して、前記更新プログラムの版の方が新しいという比較結果となった前記家電機器を、前記実行プログラムを更新する対象である対象家電機器として特定する更新機器特定部、
前記対象家電機器が記憶する前記実行プログラムを前記情報家電機器に受信させて記憶させるプログラム退避部、ならびに、
前記対象家電機器と同じ機器種別の前記更新プログラムを前記情報家電機器から前記対象家電機器に送信させるプログラム更新部、
を含むプログラム更新制御装置と、
を備え、
前記情報家電機器は、
前記対象家電機器の前記実行プログラムを前記対象家電機器から受信し、前記記憶部に記憶させる実行プログラム受信部、および、
前記対象家電機器と同じ機器種別の前記更新プログラムを前記対象家電機器に送信する更新プログラム送信部、
を含むプログラム更新システム。
【請求項１１】
家電機器の主機能を動作させる実行プログラムを更新するプログラム更新方法であって、
前記家電機器および前記家電機器の更新プログラムを取得する情報家電機器と接続して、前記家電機器の前記実行プログラムの版の情報、および前記情報家電機器が取得した前記家電機器の前記更新プログラムの版の情報を取得する通信ステップと、
前記家電機器の前記実行プログラムの版と、同じ機器種別の前記家電機器の前記更新プログラムの版とを比較して、前記更新プログラムの版の方が新しいという比較結果となった前記家電機器を、前記実行プログラムを更新する対象である対象家電機器として特定する更新機器特定ステップと、
前記対象家電機器が記憶する前記実行プログラムを前記情報家電機器に受信させて記憶させるプログラム退避ステップと、
前記対象家電機器と同じ機器種別の前記更新プログラムを前記情報家電機器から前記対象家電機器に送信させるプログラム更新ステップと、
を備えるプログラム更新方法。
【請求項１２】
家電機器の主機能を動作させる実行プログラムの更新を制御するコンピュータに、
前記家電機器が記憶する前記実行プログラムの版の情報、および情報家電機器が記憶する前記家電機器の更新プログラムの版の情報を取得する通信ステップと、
前記更新プログラムの版と前記実行プログラムの版とを比較して、前記更新プログラムの版の方が新しいという比較結果となった前記家電機器を、前記実行プログラムを更新する対象である対象家電機器として特定する特定ステップと、
前記対象家電機器が記憶する前記実行プログラムを前記情報家電機器に受信させて記憶させる退避ステップと、
前記対象家電機器と同じ機器種別の前記更新プログラムを前記情報家電機器から前記対象家電機器に送信させる更新ステップと、
を実行させるためのプログラム。